(57)【要約】【課題】軽量化とコストダウンをはかり、組立が容易な格子体を提供することを目的とする。【解決手段】格子と保持桟とブラケットと目板とを備え、格子は見付面の一方が開放され、他方が閉鎖されており、保持桟は格子の端部において格子を保持し、目板は格子の開放されている見付面を塞ぎ、ブラケットは格子の端部に固定され、かつ保持桟の格子と対向する面側から保持桟に固定され、格子と目板とにより隠蔽されている。これにより、保持桟に目板や横壁を設けることなく構成することが可能となるため、軽量化とコストダウンをはかることができ、組み立ても容易となる。また、格子の開口部内にブラケット全体を収めることで、意匠的にすぐれたものにもすることが可能となる。【選択図】図６
2014148807.tif 000002
【特許請求の範囲】
【請求項１】
格子と、保持桟と、ブラケットと、目板と、を備え、
格子は、見付面の一方が開放され、他方が閉鎖されており、
保持桟は、格子の端部において格子を保持するものであり、
目板は、格子の開放されている見付面を塞ぐものであり、
ブラケットは、格子の端部に固定され、かつ保持桟の格子と対向する面側から保持桟に固定され、格子と目板とにより隠蔽される、
ことを特徴とする格子体。
【発明の詳細な説明】
【技術分野】
【０００１】
本発明は、跳ね上げ門扉等において用いられる格子体に関する。
【背景技術】
【０００２】
従来、門扉、フェンス等において用いられる、縦格子と横格子とにより格子面を形成した格子体においては、各格子の端部がねじ等によって固定されている。
【０００３】
また、別の技術としては、図９に断面図として示した格子体の格子取付構造がある。図９は、上桟１０１、下桟１０２、縦格子１０３、横格子１０４、ねじ１０５，１０６，１０７，１０８から構成されており、上桟１０１内には横壁１０９，１１０が形成されており、下桟内にも同様に横壁１１２，１１３が形成され、横壁１０９、１１２を覆う目板１１１，１１４が設けられている。
【０００４】
上桟１０１と下桟１０２は上下対称であるので、上桟１０１を代表して説明すると、縦格子１０３に設けられた切り欠き部に横格子１０４を通した後に、上桟１０１と縦格子１０３とを接触させ、上桟１０１内に設けられた２つの横壁１０９，１１０の上方から、２つの横壁にねじ１０５，１０６を貫通させてねじ止めされている。
【発明の概要】
【発明が解決しようとする課題】
【０００５】
図９に開示されている技術は、２つの横壁を有する横桟の上方からたて桟をねじ止めし、その上方からさらに目板を設けることによってねじを通す貫通穴を隠す構成となっているため、横桟の中に横壁を有することとなるため重量が重くなってしまうという問題点がある。そのため、フェンス等に用いる際には問題がなくとも、跳ね上げ格子等の上下方向に移動させる格子体に用いる際には、持ち上げが困難となったり、開閉機構に重量による負荷が生じてしまうおそれがあった。また、組み立てにおいても２つの横壁を貫通させてねじ止めする必要があるため、２つの横壁にねじを貫通させる穴を開ける加工も必要となり、組み立ても煩雑となってしまうという問題点もある。
【０００６】
そこで本発明は、軽量化とコストダウンをはかり、組立が容易な格子体を提供することを目的とする。
【課題を解決するための手段】
【０００７】
本願の請求項１に係る発明では、格子と、保持桟と、ブラケットと、目板と、を備え、格子は、見付面の一方が開放され、他方が閉鎖されており、保持桟は、格子の端部において格子を保持するものであり、目板は、格子の開放されている見付面を塞ぐものであり、ブラケットは、格子の端部に固定され、かつ保持桟の格子と対向する面側から保持桟に固定され、格子と目板とにより隠蔽されることを特徴とする格子体が提供される。
【０００８】
すなわち、請求項１に係る発明では、格子の一方の見付面が開放されていることにより、保持桟の格子と対向する面である内周面側からの組み付けが可能となり、内周面側からねじ止めする構成とすることによって、保持桟に目板や横壁を設けることなく構成することが可能となるため、軽量化とコストダウンをはかることができる。また、このように内周面側から固定する構成によって、保持桟において外部に面していている外周面から内部奥のねじをねじ止めして組み立てたりすることに比べて、容易に組み立てを行うことができる。さらに、格子に設けられた開口部内にブラケット全体を収め、格子の開放面を目板によってふさぐことによって、ブラケットを外部から視認できないようにでき、意匠的にすぐれたものとすることもできる。
【発明の効果】
【０００９】
本発明により、軽量化とコストダウンをはかり、組立が容易な格子体を提供することが可能となる。
【図面の簡単な説明】
【００１０】
【図１】本実施の形態における格子体の正面図である。
【図２】本実施の形態における格子体の横断面図である。
【図３】本実施の形態における個々の縦格子の断面図である。
【図４（ａ）】本実施の形態の縦格子を上から見た平面図である。
【図４（ｂ）】本実施の形態の縦格子にブラケットを組み付けた状態を示す断面図である。
【図５】本実施の形態の縦格子に上桟、下桟を組み付けた状態を示す断面図である。
【図６】本実施の形態の縦格子に目板を組み付けた状態を示す断面図である。
【図７】本実施の形態のブラケットを拡大した拡大図である。
【図８】本発明の別の実施の形態を示す断面図である。
【図９】従来技術の縦格子を示す断面図である。
【発明を実施するための形態】
【００１１】
以下、本発明の実施の形態について図面に基づいて説明する。
図１は本実施の形態における格子体の正面図である。図１に示されているように、複数の縦格子１０が平行になるように上桟５０と下桟６０に取り付けられ、縦格子１０の間に複数の横格子７０を渡すことによって、格子体１を形成している。図２は格子体１の横断面図である。図２に示されているように、本発明の格子体は左右の２か所でねじによってアーム２に取り付けられており、アーム２を上下に回動させることによって、格子体を跳ね上げ門扉として用いることができる。
【００１２】
図３は本実施の形態の格子体における個々の縦格子の断面図である。縦格子１０を上桟５０と下桟６０とで固定する構造となっている。具体的な構造については、図４〜図７を用いて説明する。
図４〜図６は、本実施の形態における縦格子、横格子及び上桟の構成と、その組み立て手順を示した図であり、図７は、図４〜図６において用いられているブラケット２０を拡大した拡大図である。図４（ａ）においては縦格子１０部分の平面図、図４（ｂ）においては断面図であり、１０は縦格子、１２は傾斜面部、１３は横格子受け部、１６ａ、１６ｂは係合部、１７はタッピングホールである。また、２０，３０は縦格子１０と上桟５０、下桟６０とをそれぞれ固定するブラケットであり、２１，３１は縦枠部、２２，３２は横枠部、２３，３３は横枠部に設けられた当接部、２４ａは第１のねじ穴、２４ｂは第２のねじ穴である。また、４１，４３は縦格子１０とブラケット２０、３０とを結合するねじである。
【００１３】
また、図５において、５０は上桟であり、その下部に傾斜面５１を有している。また、下方にも上桟５０と同様の形状であって上下対称とされた下桟６０が設けられており、その上部に傾斜面６１を有している。また、４２，４４は、ブラケット２０，３０と上桟５０、下桟６０とをそれぞれ結合するねじである。
さらに、図６において、７０は縦格子１０の横格子受け部１３に通された横格子であり、８０は縦格子の背後側見付面に取り付けられる目板、４５，４６は縦格子１０と目板８０とを留めるねじである。
【００１４】
次に、図４〜図７に基づいて、縦格子１０と上桟５０との組み付け方法について説明する。まず、図４に示されているように、縦格子１０の上面部にブラケット２０の横枠部２２を接触させるように乗せて、ねじ４１をブラケット２０の第１のねじ穴２４ａに挿入し縦格子１０のタッピングホール１７に螺合させてねじ止めする。図７に拡大図として示されているように、ブラケット２０の横枠部２２には、当接部２３が設けられており、ブラケット２０を固定する際には、ブラケット２０の当接部２３と、縦格子１０の傾斜面部１２とが同一平面となるようにブラケット２０を固定する。
【００１５】
次に、図５に示されているように、縦格子１０の上面部に接触するように上桟５０を配置する。その際には、上桟５０の傾斜面５１と、縦格子１０の傾斜面部１２及びブラケット２０の当接部２３とが当接するように配置されている。上桟５０を配置した後、ブラケット２０の第２のねじ穴２４ｂにねじ４２を挿入し、図示しない上桟５０のねじ穴に螺合してねじ止めする。このとき、縦格子１０は表側の見付面は閉鎖されているが、裏側の見付面が開放されているため、開放された面から手などを入れて、ねじ止めを容易に行うことができ、また、上桟５０の縦格子１０と対向する面側からねじ止めすることによって、上桟５０に目板や横壁を設けない形状とすることが可能となるため、軽量化やコストダウンをはかることができ、組み立ても容易となる。なお、下部の下桟６０についても、上下が逆となるのみで上桟５０と同様の手法で取り付ける。
【００１６】
次に、図６のように、縦格子１０の各横格子受け部１３に横格子７０を入れ、その後、縦格子１０の裏側の開放されている見付面において、縦格子１０の係合部１６ａ、１６ｂにはめ込むように目板８０を取り付け、上部と下部においてねじ４５，４６で取り付ける。このように、縦格子１０の裏側が開放されていることによって、横格子７０を容易に渡すことが可能となる。また、目板８０で縦格子１０の開放されている見付面を閉鎖するようにしているので、ブラケット２０が外部から視認できない状態となり、意匠的にすぐれたものとすることができるとともに、横格子７０を個々に固定しなくとも、目板のはめ込みと２か所でのねじ止めによって、各横格子を保持することができる。
【００１７】
また、上桟５０と縦格子１０とを固定するにあたって、上桟５０と縦格子１０の双方に傾斜面を設け、傾斜面どうしを当接させるように配置することによって、両者の当接面に雨水等がたまることがなくなる。また、正面から見たときに縦格子が長く見えるため意匠的にもすぐれたものとすることができる。
【００１８】
さらに、ブラケット２０に当接部２３を設け、当接部２３と縦格子１０の傾斜面部１２の位置を合わせ、さらに当接部２３と上桟５０の傾斜部５１とを当接させるように配置することによって、上桟５０の配置にあたって確実に位置決めをすることができ、また、鉛直方向を軸とした回転も防止することができる。
【００１９】
別の実施の形態として、図８に示されているように、縦格子１０と上桟５０に傾斜面を設けずにブラケット２５を第１の横枠部２６、縦枠部２８、第２の横枠部２７とからなるクランク状として、ブラケット２５の第１の横枠部２６においてブラケット２５と縦格子１０とをねじ止めし、第２の横枠部２７においてブラケット２５と上桟５０とをねじ止めして固定することもできる。これにより、縦格子１０と上桟５０とに傾斜部を設ける加工をしなくとも、縦格子１０と上桟５０とを確実に固定することができる。
【００２０】
これらの実施の形態においては、ブラケットの上桟、下桟、及び縦格子との固定をねじ止めによって行っているが、固定の手法としてはねじ止めに限るものではなく、他の固定方法も用いることができる。
また、これらの実施の形態においては、格子体を跳ね上げ門扉において用いる例としていたが、本発明の格子体は跳ね上げ門扉のみに用いられるものではなく、引戸門扉やフェンス等にも用いることができる。
さらに、本実施の形態では、目板８０を取り付けた後に、ねじ４５，４６で目板８０をねじ止めしている。本発明の格子体を跳ね上げ門扉に用いる場合は、門扉を開いた際に目板８０部が下部となるため、目板８０の落下を防ぐためにねじ止めをすることが好ましいが、本発明の格子体を引戸門扉やフェンス等の落下の危険が少ない場合には、ねじ止めなしに目板８０の取り付けのみとすることもできる。
【符号の説明】
【００２１】
１    格子体
２    アーム
１０  縦格子
１２  傾斜面部
１３  横格子受け部
１６ａ，１６ｂ  係合部
２０，３０  ブラケット
２１，３１  縦枠部
２２，３２  横枠部
２３，３３  当接部
２４ａ  第１のねじ穴
２４ｂ  第２のねじ穴
２５  ブラケット
２６  第１の横枠部
２７  第２の横枠部
２８  縦枠部
４１，４２，４３，４４，４５，４６  ねじ
５０  上桟
６０  下桟
７０  横格子
８０  目板
【図１】
2014148807.tif 000003
【図２】
2014148807.tif 000004
【図３】
2014148807.tif 000005
【図４（ａ）】
2014148807.tif 000006
【図４（ｂ）】
2014148807.tif 000007
【図５】
2014148807.tif 000008
【図６】
2014148807.tif 000009
【図７】
2014148807.tif 000010
【図８】
2014148807.tif 000011
【図９】
2014148807.tif 000012